(57)【要約】【課題】従来、複雑な形状を有するリサイクル用物品を確実に切断できる切断治具は得られていない。【解決手段】本発明のリサイクル用物品の切断治具においては、物品支持台を支持した本体フレームに手持ち部材の基部を回動自在に枢支し、この手持ち部材の下部に細長い物品抑え部材の中間部を回動自在に枢支し、この物品抑え部材の下面に複数の突き刺しピンを突出せしめる。上記手持ち部材は上記物品抑え部材の回動阻止用のストッパーを有する。【選択図】  図１
2004223691.tif 000002
【特許請求の範囲】
【請求項１】
本体フレームによって支持した物品支持台と、上記本体フレームにその基部を回動自在に枢支した手持ち部材と、この手持ち部材の下部にその中間部を回動自在に枢支した物品抑え部材と、この物品抑え部材の下面に突出せしめた複数の突き刺しピンとより成ることを特徴とするリサイクル用物品の切断治具。
【請求項２】
上記手持ち部材が上記物品抑え部材の回動阻止用のストッパーを有することを特徴とする請求項１記載のリサイクル用物品の切断治具。
【請求項３】
上記本体フレームがカッターに沿って移動自在であることを特徴とする請求項１または２記載のリサイクル用物品の切断治具。
【発明の詳細な説明】
【０００１】
【発明の属する技術分野】
本発明はリサイクル用物品の切断治具、特に、家電製品等のリサイクル用物品の切断治具に関するものである。
【０００２】
【従来の技術】
従来、シートを抑えるシートホルダーを有する切断装置は既知である（例えば特許文献１）。
【０００３】
【特許文献１】
特許第２８７９０３２号明細書（第５頁，第６頁、図８）。
【０００４】
然しながら複雑な形状を有するリサイクル用物品を確実に切断するための切断装置は得られていない。
【０００５】
例えば、熱交換機などを有する廃家電品の中のラジエーターにおいては、空冷部にはアルミニウムフィン、冷却媒体の流通部には銅配管、設置支持部には鉄材が使われている。このため、ラジエーターに使われている金属を回収するためには、鉄系と非鉄系に分離して処理することが望まれる。
【０００６】
【発明が解決しようとする課題】
上記のように部品として一体化しているラジエーターから鉄材のみを分離することは困難であり、また、ラジエーターは殆んどがアルミニウムの冷却フィンから構成されており、鉄材の使用量はラジエーター全体からはわずかであり、粉砕して磁選別機などにより選別しても採算が合わない。このため鉄材を分離するために切断することが多く用いられている。この切断をシャーリング機で行なう場合、のアルミニウムフィンは機械的強度が弱く、銅配管が埋設されているため強度も箇所によりばらつきが大きいため、シャーリング機による切断時に位置がズレ、ラジエーターの変形による未切断部分発生、切断箇所の乱れなどの問題が発生し、ラジエーターの位置の支持が難しいため、目的どおり切断することも難しく、シャーリング機にかかる負担も増していた。
【０００７】
本発明は上記の欠点を除くようにしたものである。
【０００８】
【課題を解決するための手段】
本発明のリサイクル用物品の切断治具は、本体フレームによって支持した物品支持台と、上記本体フレームにその基部を回動自在に枢支した手持ち部材と、この手持ち部材の下部にその中間部を回動自在に枢支した物品抑え部材と、この物品抑え部材の下面に突出せしめた複数の突き刺しピンとより成ることを特徴とする。
【０００９】
上記手持ち部材は、上記物品抑え部材の回動阻止用のストッパーを有することを特徴とする。
【００１０】
また、上記本体フレームは、カッターに沿って移動自在であることを特徴とする。
【００１１】
【発明の実施の形態】
以下図面によって本発明の実施例を説明する。
【００１２】
以下、ラジエーターを対象物として説明するが、本発明は他の対象物にも同様にして適用できることは勿論である。
【００１３】
一般に廃家電品から取り出したラジエーターは平板状のものとは限らず、断面がくの字やＬ字状に変形したものがある。従って図１に示すように本発明においてはラジエーター１を本体フレーム（図示せず）に設けた鉄板等の物品支持台２上に置き本発明のリサイクル用物品の切断治具を用いて上から押しつけ圧力をかけ矯正し、ほぼ平板上とする。この際、ラジエーター１の切断したい端部３を台２の外側に置き、切断箇所がほぼカッター１１の切断方向に平行な位置になるようにする。
【００１４】
本発明のリサイクル用物品の切断治具は図２に示すように物品支持台２に、山形状に湾曲した細長い手持ち部材４の基部４ａを枢支ピン５により回動自在に枢支し、この手持ち部材４の湾曲中間下部４ｂに板状の細長い物品抑え部材６の中間部を枢支ピン７により回動自在に枢支し、手持ち部材４の遊端部４ｃに手持ち部８を取り付け、上記物品抑え部材６の下面に長さ方向に互いに離間して突き刺しピン９を突出せしめ、上記手持ち部材４の基部４ａ側に、上記物品抑え部材６の回動を阻止するストッパー１０を設ける。
【００１５】
なお、上記突き刺しピン９の高さは、ラジエーターの厚み以上にあることは望ましくないため１〜３ｃｍ程度とする。また、その形状は、先端に従い細くなる形状、例えば円錐状のものが良い。これはラジエーター１に配置されている配管は、夫々寸法、位置とも異なるため、それらに対応できるように寸法的な逃げ代を設けることと、先端が細い方が、ラジエーター１に突き刺さり易く、作業負荷が少ないためである。また、ピン間隔は、あまり狭いと銅管の間隔、位置による影響がでるため、なるべく１０ｃｍ以上あるのが望ましい。ピンの個数は２個以上が良い。
【００１６】
本発明のリサイクル用物品の切断治具は上記のような構成であるから、手持ち部８によりラジエーター１に物品抑え部材６の突き刺しピン９が刺さるまで手持ち部材４の手持ち部８を押し、２箇所以上の突き刺しピン９の刺し込みが完了した後カッター１１を稼動させ台２と共にラジエーター１をカッター１１に相対的に移動させラジエーター１の端部３を切り落とす。切り落とし後は、手持ち部８に加える力を解除し、切断後の各ラジエーター１の部分を分別保管する。なお、上記刺し込みとはピンによりラジエーターが固定されている状態をいう。
【００１７】
本発明のリサイクル用物品の切断治具においては、手持ち部材４が物品支持台２に対して、また、物品抑え部材６が手持ち部材４に対し回動自在であるため、ラジエーター１の多種多様な寸法、形状等に対応でき、例えば、物品抑え部材６が固定しようとするラジエーター１の面等に傾斜があっても、手持ち部材４が枢支ピン５を中心に回転し、高さを調整し、物品抑え部材６により押えることができる。また、枢支ピン７を介して押しつけ圧力が伝わるため、押さえ付け力の加減が容易に可能となる。また、枢支ピン７部と手持ち部８にシリンダーなどを備え上下動作制御をすることもできる。
【００１８】
【発明の効果】
上記のように本発明のリサイクル用物品の切断治具によれば、これまで切断が困難であった廃ラジエーター等のリサイクル用物品を簡便な装置で確実容易に切断できる大きな利益がある。
【図面の簡単な説明】
【図１】本発明のリサイクル用物品の切断治具の平面図である。
【図２】本発明のリサイクル用物品の切断治具の正面図である。
【符号の説明】
１    ラジエーター
２    物品支持台
３    端部
４    手持ち部材
４ａ  基部
４ｂ  湾曲中間下部
４ｃ  遊端部
５    枢支ピン
６    抑え部材
７    枢支ピン
８    手持ち部
９    突き刺しピン
１０    ストッパー
１１    回転カッター
【図１】
2004223691.tif 000003
【図２】
2004223691.tif 000004